(57)【要約】
【課題】  翻訳機機能を具えたキーボードの提供。
【解決手段】  キーボードにマイクロプロセッサが設けられ、マイクロプロセッサに翻訳ソフトが設けられ、マイクロプロセッサが液晶ディスプレイ、キーボードのキー及び増設された特殊キーに接続され、キーで翻訳したい文字が入力されると、翻訳ソフトが翻訳結果を液晶ディスプレイに表示し、マイクロプロセッサはまたスピーカ、メモリ拡張スロットに接続され、翻訳した文字の発音を現出し、且つ外部よりメモリを差し込むことができその実用価値が高められている。
【選択図】        図１
0003101119.tif 000002
【実用新案登録請求の範囲】
【請求項１】
キーボードにマイクロプロセッサが設けられ、マイクロプロセッサに翻訳ソフトが設けられ、マイクロプロセッサがキーボード表面上方に設けられた液晶ディスプレイに接続され、キーボードのキーで翻訳したい文字が入力されると、翻訳ソフトにより翻訳された結果が液晶ディスプレイに表示され、キーボードと翻訳機の機能を具えたことを特徴とする、翻訳機機能を具えたキーボード。
【請求項２】
請求項１記載の翻訳機機能を具えたキーボードにおいて、マイクロプロセッサが音声回路とスピーカに接続され、翻訳作業と同時に翻訳結果の正確な発音を音声表示することを特徴とする、翻訳機機能を具えたキーボード。
【請求項３】
請求項１記載の翻訳機機能を具えたキーボードにおいて、マイクロプロセッサ及びその周辺回路がキーボード内部に設けられた電池或いは外接の電源に接続され、コンピュータが切断された時にもキーボードが独立して翻訳機能を実行できることを特徴とする、翻訳機機能を具えたキーボード。
【考案の詳細な説明】
【技術分野】
【０００１】
本考案は一種の翻訳機機能を具えたキーボードに係り、特にコンピュータキーボードに既存のキーにより、キーボードと翻訳機機能とを具えたキーボードに関する。
【背景技術】
【０００２】
一般に、文字を翻訳する時（中英、英中、或いはその他の言語の文字翻訳）、使用者は通常市販の翻訳機を翻訳工具としている。このような翻訳機は携帯できて相当に便利であるが、価格は安くなく、且つ現段階の文書作業は通常コンピュータにより完成し、作業中、別に翻訳機を置かねばならず、面倒で且つ作業効率に影響が生じた。またコンピュータにインストールされる翻訳ソフトは使用時にコンピュータを起動してプログラムに進入する必要があり、このため、コンピュータが切断状態の時、翻訳作業が行なえず理想的でない。
【考案の開示】
【考案が解決しようとする課題】
【０００３】
本考案の主要な目的は、一種の翻訳機機能を具えたキーボードを提供することにあり、それは、コンピュータキーボードに翻訳機能を具備させて、且つもともと有るキーで入力を実行でき、キーを増設する必要をなくしたものとする。
【課題を解決するための手段】
【０００４】
請求項１の考案は、キーボードにマイクロプロセッサが設けられ、マイクロプロセッサに翻訳ソフトが設けられ、マイクロプロセッサがキーボード表面上方に設けられた液晶ディスプレイに接続され、キーボードのキーで翻訳したい文字が入力されると、翻訳ソフトにより翻訳された結果が液晶ディスプレイに表示され、キーボードと翻訳機の機能を具えたことを特徴とする、翻訳機機能を具えたキーボードとしている。
請求項２の考案は、請求項１記載の翻訳機機能を具えたキーボードにおいて、マイクロプロセッサが音声回路とスピーカに接続され、翻訳作業と同時に翻訳結果の正確な発音を音声表示することを特徴とする、翻訳機機能を具えたキーボードとしている。
請求項３の考案は、請求項１記載の翻訳機機能を具えたキーボードにおいて、マイクロプロセッサ及びその周辺回路がキーボード内部に設けられた電池或いは外接の電源に接続され、コンピュータが切断された時にもキーボードが独立して翻訳機能を実行できることを特徴とする、翻訳機機能を具えたキーボードとしている。
【考案の効果】
【０００５】
本考案は、一種の翻訳機機能を具えたキーボードを提供しており、それは、コンピュータキーボードに翻訳機能を具備させて、且つもともと有るキーで入力を実行でき、キーを増設する必要をなくしたものである。
【考案を実施するための最良の形態】
【０００６】
本考案によると、コンピュータキーボードにマイクロプロセッサが設けられ、マイクロプロセッサに翻訳ソフトが設けられ、マイクロプロセッサがキーボード表面上方に設けられた液晶ディスプレイと、キーボードの既存のキー、増設された特殊キーに接続され、これらのキーにより翻訳したい文字が入力されると、翻訳ソフトにより翻訳された結果が液晶ディスプレイに表示される。
【０００７】
前述のキーボードにおいて、マイクロプロセッサは音声回路とスピーカに接続され、翻訳後の文字を音声表示し、見て聴くことによる学習効果を達成できる。
【０００８】
前述のキーボードにおいて、マイクロプロセッサはさらにメモリ拡充スロットに接続されてメモリの外接に供され、キーボードの実用価値が高められている。
前述のキーボードにおいて、全体のキーボード回路が内蔵電池或いは外接電源に接続され、コンピュータが切断された時も、キーボードが独立して翻訳機能を実行できる。
【実施例１】
【０００９】
図１、２、３を参照されたい。本考案によると、キーボード１（そのサイズは周知のキーボードよりも大きい）にマイクロプロセッサ１１が設けられ、マイクロプロセッサ１１はメモリ１２に接続され、該マイクロプロセッサ１１に翻訳ソフトが設けられている。
【００１０】
該マイクロプロセッサ１１はキーボード１表面上方に設けられた液晶ディスプレイ１３、キーボード１に既存のキー１４（即ち一般のキーボードの数字、文字、符号キー）及び液晶ディスプレイ１３両側の特殊キー１５に接続されている。
【００１１】
該マイクロプロセッサ１１はまた音声回路１６及びスピーカ１７、及びメモリ拡充スロット１８に接続され、並びに該マイクロプロセッサ１１及び全体の周辺回路が電池１９に接続されるか或いは電源変圧器を介して外接電源に接続されている。
【００１２】
前述の部品の組合せにより本考案のキーボード１が構成され、該キーボード１は周知の方式、例えばＵＳＢ或いはＰＳ２（登録商標）プラグ２０でコンピュータに接続される。コンピュータ使用時には一般のキー１４操作が行なえ、翻訳作業を行なう必要がある時は、翻訳機能を起動して、キー１４で文字を入力し、並びに特殊キー１５の設定を組み合わせることにより、翻訳したい文字が翻訳ソフトで翻訳されて液晶ディスプレイ１３に表示される。
【００１３】
前述の翻訳作業と共に、マイクロプロセッサ１１は音声回路１６によりスピーカ１７で翻訳した文字の正確な発音を音声表示でき、これにより使用者は翻訳後の文字を観ることができると共にその文字の発音を聴くことができる。
【００１４】
翻訳作業時には必ずしもコンピュータを使用する必要はない。これは本考案の全体の回路が電池１９或いは外接電源（電源変圧器）に接続されて、電池１９或いは外接電源によりキーボード１の作業に必要な電力が供給されるためである。ゆえにコンピュータが切断状態の時も、キーボード１は独立して翻訳の機能を実行できる。メモリ拡充スロット１８はメモリの外接に供され、キーボード１内のデータの拡充に供され、これにより翻訳の効果が増され、その実用価値が高められる。
【００１５】
また、マイクロプロセッサ１１に設けられる翻訳ソフトはメモ帳、電話帳、ゲーム等の機能も具備し、これらの機能はキー１４或いは特殊キー１５の操作により実行される。
総合すると、本考案のコンピュータキーボードには液晶ディスプレイ及び翻訳ソフトが設けられ、キーボードがコンピュータに接続されるか或いは独立して実行される時、いずれも翻訳の機能を操作でき、キーボードの実用価値が高められており、ゆえに本考案は実用性、新規性、進歩性及び産業上の利用価値を具備する考案であるといえる。
【図面の簡単な説明】
【００１６】
【図１】本考案の斜視図である。
【図２】本考案の分解斜視図である。
【図３】本考案の回路ブロック図である。
【符号の説明】
【００１７】
１  キーボード                        １６  音声回路
１１  マイクロプロセッサ              １７  スピーカ
１２  メモリ                          １８  メモリ拡充スロット
１３  液晶ディスプレイ                １９  電池
１４  キー                    ２０  ＵＳＢ或いはＰＳ２（登録商標）プラグ
１５  特殊キー
【図１】
0003101119.tif 000003
【図２】
0003101119.tif 000004
【図３】
0003101119.tif 000005